(57)【要約】【課題】奥歯に隣接する口腔内壁と歯間清掃具端との振動叩きに伴う安全性、能率性、手軽さ、快適性を確保。【解決手段】フィラメントを密集状態で略帯状に形成し当該先端部１Ａが柔らかさと潤滑性をもつこと及び後部１Ｓが一体性を有する幅３ｍｍを超え〜８ｍｍの範囲の帯状デンタルフロス１、と該を張るアーム３と連結部４を介し、該デンタルフロス１を張る面と約垂直に振動装置付ホルダー部６を具え、歯磨剤を塗って低速振動。【選択図】    図１
2004249027.tif 000002
【特許請求の範囲】
【請求項１】
フィラメントを密集状態で略帯状に形成し当該先端部１Ａあるいは後部１Ｓが主として異質な部分を有する幅３ｍｍを超え〜８ｍｍの範囲の帯状デンタルフロス１に該両端を張るアーム３を備え、該一端に設けた連結部４を介し、該デンタルフロス１を張る面と約垂直に振動装置付ホルダー部６を備えたことを特徴とする歯磨き剤の利用に適した歯間清掃具。
【請求項２】
フィラメントを密集状態で略帯状に形成し当該先端部１Ａが少なくとも１種類以上の太さ、柔らかさ、引張り強さ、潤滑性、材質を有しあるいは後部１Ｓが一体性を有する幅３ｍｍを超え〜８ｍｍの範囲の帯状デンタルフロス１に該両端を張るアーム３を備え、該一端に設けた連結部４を介し、該デンタルフロスを張る面と約垂直に振動装置付ホルダー部６を備えたことを特徴とする歯磨き剤の利用に適した歯間清掃具。
【請求項３】
フィラメントを密集状態で略帯状に形成し当該先端部１Ａが撚りと、少なくとも１種類以上の太さ、柔らかさ、引張り強さ、潤滑性、材質を有しあるいは後部１Ｓが絡め糸ＣＴあるいは密集剤を有する幅３ｍｍを超え〜８ｍｍの範囲の帯状デンタルフロス１に該両端を張るアーム３を備え、該一端に設けた連結部４を介し、該デンタルフロスを張る面と約垂直に振動装置付ホルダー部６を備えたことを特徴とする歯磨き剤の利用に適した歯間清掃具。
【請求項４】
振動装置付ホルダー部６と、連結部４及び帯状デンタルフロス１を張る方向が略平行であると共に同一面となるように振動装置付きホルダー６と該デンタルフロス１を取り付けた請求項１に記載の歯間清掃具。
【発明の詳細な説明】
【０００１】
【発明の属する技術分野】
本発明は、デンタルフロスと該両端を張るアームとからなる歯間清掃具に関す。
【０００２】
【従来の技術】
従来のデンタルフロスと該両端を張るアームとからなる歯間清掃具においては、デンタルフロスは普通２００〜数百本のフィラメントを束ねて一束ないしは数束を並列に配置（特開２０００−１９７６４７），電動式でかつデンタルフロスと平行振動及び上下振動型には（特開２００１−１４５６４４、特開平５−２５３２５１），ないしは電動式で複数束を飛び飛びに直列に配置のもの（特開平５−２３３５９）。
【０００３】
または、帯状デンタルフロスには、初期状態を保つために添加剤を含浸した後ローラーでつぶして幅が約３ｍｍ〜２ｍｍかつ不規則に捩れながら成形したものが市販され、該は潤滑用ロウによる横滑りが生じ不安定になるため両手での手動操作に適しているが電動式には不向きであった。
【０００４】
一方、前述の様な電動式には平行振動、上下振動及び清掃効率向上の為ある程度の高速振動が有効かつ必要であった。
【０００５】
また一般に、添加物は除菌、治療、香料、甘味、研磨剤、フィラメントを集める為の微結晶、蜜蝋、潤滑用ロウ、等、又は添加物を用いてないか微量なものは有るが、いずれについてもデンタルフロス製造過程で含浸したものであった。
【０００６】
【発明が解決しようとする課題】
従来、奥歯の歯間垢清掃においては、前述のように第１に、総幅が狭いタイプは、奥歯は歯丈が比較的に低く、１束型でも複数束型でもあるいは帯状でも上下振動（又は操作）が必要であると共に上下振動幅の設定が困難で、歯先から外れ易い。第２に、複数の繊維束を直列に飛び飛びに配置の広いタイプでは上下振動は不要でも端部の束が外れ易い、と共に一束当りの必要十分かつ有効な張力を付与するには束の増加分の力が歯や手に負担となる。第３には、電動による上下振動では深く歯元に進入した場合に歯肉切れが生じ易い。
【０００７】
第４には、殊にエッジの鋭い滑り剤のない帯状デンタルフロスにおいては、類似刃物観を与え消費者に不安をもたらした。第５には、デンタルフロスにあらかじめ含侵されている添加剤は該量、香り等の個人ごとの嗜好など選択は限定すると共に本来、歯は該成長につれ細かい横溝があり、添加剤に含む潤滑剤、密集剤により各フィラメントが独立性を失い溝への侵入を減少させ横滑りし易くなり歯肉を傷つける。第６には、添加剤を含まないものは勿論のこと、該添加剤含侵型であっても研磨剤が表面には十分な量が瞬時には浮き出てこないため、清掃効率化目的の電動式清掃具では前述の様に振動幅を広くするか高速化を必要とした、しかし、これに伴い奥歯に隣接する口腔内壁と歯垢清掃具端部との振動叩きに伴って違和感や苦痛が生じる、等々の欠点があった。
【０００８】
本案は、従来のような欠点に鑑み奥歯の歯間であっても歯垢除去を手軽かつ能率的、快適性、安心性にも優れた歯間清掃具を得ることを目的とする。
【０００９】
【課題を解決する手段】
上記目的を達成するために本案は、フィラメントを密集状態で略帯状に形成し当該一部が主として異質な部分を有する幅３ｍｍを超え〜８ｍｍの範囲の帯状デンタルフロス１に該両端を張るアーム３を備え、該一端に設けた連結部４を介し、該デンタルフロス１を張る面と約垂直に振動装置付ホルダー部６を備えたことを特徴とする歯磨き剤の利用に適した歯間清掃具を構成している。
【００１０】
【発明の実施の形態】
以下、図面に示す形態により、本発明を詳細に説明する。
【００１１】
図１、図２、図３、図４、図６、図８、図９に示す本発明の第１の実施の形態において、図８（ａ）の１は帯状デンタルフロスで、該両端を張る固定部２を有するアーム３を備え、該一端に設けた分離もできる連結部４を介し、該デンタルフロス１を張る面と約垂直に振動装置付ホルダー部６と、振動軸５と偏芯体７によって１１を支点に傾斜振動（ｂ）させるための電池９とスイッチ１０とから構成されている。
【００１２】
この帯状デンタルフロス１の基材は、合成繊維のナイロン、ポリエステル、ポリエチレン、ＰＴＦＥ繊維、カーボン等、または天然繊維の絹、綿等（但し、先端部は入手により管等繊維以外もある）を用いフィラメント約２０００〜数千本を互いに撚りは殆ど無く（図９）ランダムかつ自由な配置で（先端部は除く）、厚さは約０．０８〜０．４ｍｍであり、極力隙間が生じないように密集させて全体として略帯状に形成し第３図，使用状態図第７図、に示す断面をなし、添加剤は全く無いかあっても微量で全重量比５％以下が良い。
【００１３】
前途、密集とは、各フィラメント同士の空間が極力小さいことで、適す意義である。
【００１４】
適す第１の理由は、細いほど表面積が増し、比例して流動抵抗が増して、歯面に圧接しても歯磨剤が帯状デンタルフロスの反対面に滲出防止するからである、第２の理由は、仮に隙間が大きいと該隙間に付着した歯磨剤が大きく固化して落下、周囲へ飛散し易いからである、従って、当該フィラメントの配置の形態（先端部は除く）は要件でなくむしろ空間の極小化、歯間差し入れ性確保のために束ねられたフィラメントを用いる場合の太さは２０マイクロメートル以内で撚りは少ないほど良い。
【００１５】
請求項記載の、主として異質な部分とは、帯状デンタルフロス１の先端部１Ａであり、主部１Ｂと領域分けしていることである。
【００１６】
該先端部１Ａについては、例えば図４に好例を示すように撚りをかけ１ａは強い張力を維持できる１条以上のナイロンフィラメントを用い。
【００１７】
１ｂについては、１ａより太く、突出、柔らかで滑りの良い絹、ＰＴＦＥ繊維、ゴム（シリコン）、弾性樹脂、ないしは張力を８０％にし、及びリード、１ａと１ｂを撚った状態での太さ、条数比、該複合体、潤滑剤含浸等において選択できる。又は加熱により膨張させた熱可塑性フィラメントをピッチ０．５ｍｍごとに冷却萎縮して膨張、萎縮を繰り返した成形品でも良い。入手により他の市販品（特許公表２０００−５１３９６２、内コアーに引っ張りに強いナイロン、ポリエステル等を用い外コアーに軟質材の熱可塑性エラストマーを被覆したもの）、管、節つきの管でもよく、潤滑性を有し、複数にするとなお良い。
【００１８】
又用語、主としてとは、先端部１Ａが主部１Ｂと同質で領域分けしない場合（丁寧で歯肉を痛めないよう用いる人向け）も有るからである、なお、領域の区分例を示せば、先端部１Ａは１ｍｍ、主部１Ｂは６ｍｍがあり、これ等の先端部１Ａのソフト化で、歯肉、歯茎の損傷及び不安を防止できる。
【００１９】
【発明の異なる実施の形態】
図５、図６、図７の（ｂ）、に示す本発明の異なる実施の形態につき説明する。尚これらの本発明の異なる実施の形態の実施に当たって、前記本発明の第１の実施の形態と同一構成部分には同一符号を付して重複する説明を省略する。
【００２０】
図５、に示す本発明の第２の実施の形態において、前記本発明の第１の実施の形態と主に異なる点は、後部１Ｓ領域の幅２ｍｍ〜１．５ｍｍに絡め糸ＣＴを施し、ないしは入手により編み物デンタルフロスにした点で，このように構成した歯間清掃具においても、前記本発明の第１の実施の形態と同様な作用効果が得られる、これによって、図７の（ｂ）に示すように奥歯先端突出時に分離防止作用効果によって外れることなく安定した操作が得られる。（尚、後部１Ｓが絡め糸ＣＴにより厚くなっても奥歯の歯先はＲ状なため隙間大であり差込への支障は少ない）。
【００２１】
図６、に示す本発明の第３の実施の形態において、前記本発明の第１の実施の形態と主に異なる点は、後部１Ｓ領域の幅２ｍｍ〜１．５ｍｍに密集剤（微結晶、蜜蝋  等）Ｗを浸漬した点で，このように構成した歯間清掃具においても、前記本発明の第１の実施の形態と同様な作用効果が得られる。
【００２２】
図１とは異なる形態である（図は省略）本発明の第４の実施の形態において、前記本発明の第１の実施の形態と主に異なる点は、帯状デンタルフロス１の引っ張る方向と略平行であると共に同一平面状に当該デンタルフロスと連結部４及び振動装置付ホルダー６を配置した点で、このように構成した歯間清掃具においても、前記本発明の第１の実施の形態と同様な作用効果が得られる。なお、水平振動（帯状デンタルフロスを張る方向）には、電磁石、又は、リニヤモーター、軸受けはボールスプライン、ボールスライド、シールはブーツ型、でよい、奥歯以外の使用に適し、又、３Ａと６Ａ間は分割してもよい。
【００２３】
本発明の第５の実施の形態において、前記本発明の第４の実施の形態と主に異なる点は、後部１Ｓ領域の幅２ｍｍ〜１．５ｍｍに絡め糸ＣＴを施し、ないしは入手により編み物デンタルフロスにし、ないしは密集剤（微結晶、蜜蝋等）Ｗを浸漬した点で，このように構成した歯間清掃具においても、前記本発明の第１の実施の形態と同様な作用効果が得られる。
【００２４】
なお、振動装置においては、偏芯体、モーターの替りに偏芯錘、ギヤードモーター、電磁石、リニャモーター、減速はマイターギヤー、電源は電池充電式、コード式、又、傾斜振動（ｂ）と圧接振動（ｃ）、（ｄ）は両者とも振動装置でかつ差し込み時（ａ）と振動時はマイコンで交互に切り替えてもよい。なお（ｂ）は平行振動でもよく。
【００２５】
従来品との比較実験例、生体で行うのは困難であるから、歯の代用にはＡＢＳ樹脂厚さ２ｍｍ幅３０ｍｍを用い、この２ｍｍの表面に歯垢の代用として接着性のある市販の修正液（メチルシクロヘキサン４５パーセント）を厚さ約０．０６ｍｍで平滑に塗布後３０分、１時間、２時間経過したそれぞれの接着強度の異なる３種類の代用歯垢を作成し、本発明サンプルは第４の実施例（振動装置は除く）を用い，従来品デンタルフロスのサンプルＡは１束タイプ、サンプルＢは６束直列タイプ（特開２０００−１９７６４７）を用い、その各々について清掃効果の比較実験例を表１に示す、但し各清掃時間は１５秒とし、表中の数字は除去できた割合をパーセントで示す、清掃方法は、本発明サンプルは前後に、サンプルＡ及びサンプルＢは斜めや前後に、いずれも手動操作し、歯面への面圧力（２００ｇ〜２５０ｇ）、及び、操作速度が何れも等しくなるように努めながら実施した。
2004249027.tif 000003
本実験から、手による低速かつ、軽い操作で顕著な歯垢除去効果のあることが分かる。
【００２６】
【本発明の効果】
以上の説明から明らかなように、本発明にあっては次に列挙する効果が得られる。
【００２７】
（１）フィラメントを密集状態で略帯状に形成し当該先端部１Ａあるいは後部１Ｓが主として異質な部分を有する幅３ｍｍを超え〜８ｍｍの範囲の帯状デンタルフロス１に該両端を張るアーム３を備え、該一端に設けた連結部４を介し、該デンタルフロス１を張る面と約垂直に振動装置付ホルダー部６を備えたことを特徴とする歯磨き剤の利用に適した歯間清掃具とから構成されているので、高速化が不要となって奥歯口腔内壁とアーム端での振動幅が大でも、振動の叩きによる苦痛等が生じない良さが得られる。
（２）後部１Ｓの略一体化によって、歯先においてフィラメントの分離、脱落が少なく能率性、手軽さが得られる。
（３）使用時に十分な量の歯磨剤をコートできることによって、小さい圧接力でも除去能率に優れ歯や手の負担が少なくできる良さが得られる。
（４）先端部１Ａの緩衝作用によって、歯肉や歯茎を傷つけること、及び不安を少なくできる良さが得られる。
（５）前記（１）によって、歯磨き剤の有する豊富な種類の研磨力、抗菌力並びに香り等の特性を選択的に有効活用できる良さが得られる。
（６）請求項２、３、４も前記（１）〜（５）と同様な効果が得られる。
【００２８】
【図面の簡単な説明】
【図１】本発明の第１の実施の形態を示し、（ａ）は正面図、（ｂ）は側面図、（ｃ）平面図。
【図２】（ａ）本発明の第１の実施の形態を示す帯状デンタルフロスの正面拡大図、（ｂ）は断面側面図。
【図３】（ａ）本発明の実施の形態を示す帯状デンタルフロスの断面説明図、（ｂ）先端部１Ａ断面一態様略図。
【図４】先端部１Ａの一態様概略図。
【図５】第２ないし第５の実施の形態を示す後部１Ｓに施した絡め糸略図。
【図６】第３ないし第５の実施の形態を示す後部１Ｓに密集剤浸漬配置図。
【図７】（ａ）は先端部Ａの作用説明図、（ｂ）突出時の作用説明図。
【図８】（ａ）本発明の第１、第２、第３の実施の形態を示す平面説明図。
（ｂ）傾斜振動図、（ｃ）及び（ｄ）圧接振動図。
【図９】主部１Ｂのフィラメントが任意特異な形成体でなくてもよいことを示す密集状態説明図。
【符号の説明】
１：帯状デンタルフロス              ７：偏芯体
２：固定部                          ８：モーター
３：アーム                          ９：電池
４：連結部                          １０：スイッチ
５：振動軸                          １１：支点軸Ｆ：フィラメントの略図
６：振動装置付ホルダー部            ＣＴ：絡め糸（糸状のもの）
１Ａ：帯状デンタルフロスの先端部    ＴＨ：歯        Ｔ：歯肉
１Ｂ：帯状デンタルフロスの主部      Ｆ：フィラメントの略図
１Ｓ：後部（主部１Ｂの一部分）      Ｗ：密集剤
【図１】
2004249027.tif 000004
【図２】
2004249027.tif 000005
【図３】
2004249027.tif 000006
【図４】
2004249027.tif 000007
【図５】
2004249027.tif 000008
【図６】
2004249027.tif 000009
【図７】
2004249027.tif 000010
【図８】
2004249027.tif 000011
【図９】
2004249027.tif 000012